【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
シンチレータブロックと；
複数の光検出器と；
前記シンチレータブロックと前記複数の光検出器との間に配置された光学素子であって、前記光学素子が：
外壁を有する中央領域と、内壁を有する周縁領域とを有する第１の層であって、前記内壁と前記外壁とが第１の間隙によって互いから隔てられている、第１の層と；
前記第１の層と光学的に連通した第２の層であって、前記第２の層が、少なくとも第１の領域と第２の領域とを有し、前記第１の領域が第１の内壁を有し、前記第２の領域が、前記第１の内壁に対向する第２の内壁を有し、前記第１の内壁と前記第２の内壁とが第２の間隙によって互いから隔てられている、第２の層と；
を有する、光学素子と；
を備えた、ＰＥＴスキャナ。
【請求項２】
前記第１の層が側壁を有し、前記周縁領域が前記側壁の少なくとも一部分に隣接している、請求項１に記載のＰＥＴスキャナ。
【請求項３】
前記周縁領域が前記側壁全体に隣接している、請求項１に記載のＰＥＴスキャナ。
【請求項４】
１つまたはそれ以上の更なる周縁領域を有し、前記１つ又はそれ以上の更なる周縁領域が、前記側壁の前記周縁領域に隣接していない部分に隣接している、請求項１に記載のＰＥＴスキャナ。
【請求項５】
前記更なる周縁領域が、間隙によって前記周縁領域から隔てられている、請求項４に記載のＰＥＴスキャナ。
【請求項６】
前記間隙が前記側壁まで延伸している、請求項５に記載のＰＥＴスキャナ。
【請求項７】
前記内壁と前記外壁とが異なる光学的特性を有する、請求項１に記載のＰＥＴスキャナ。
【請求項８】
前記内壁及び前記外壁の一方が研磨されており、他方が研磨されていない、請求項７に記載のＰＥＴスキャナ。
【請求項９】
前記内壁及び前記外壁の一方が不透明であり、他方が不透明でない、請求項７に記載のＰＥＴスキャナ。
【請求項１０】
前記内壁及び前記外壁の一方が黒色であり、他方が黒色でない、請求項７に記載のＰＥＴスキャナ。
【請求項１１】
前記内壁及び前記外壁の一方が透明であり、他方が透明でない、請求項７に記載のＰＥＴスキャナ。
【請求項１２】
前記内壁及び前記外壁の一方が半透明であり、他方が半透明でない、請求項７に記載のＰＥＴスキャナ。
【請求項１３】
前記内壁及び前記外壁の一方が吸収性であり、他方が吸収性でない、請求項７に記載のＰＥＴスキャナ。
【請求項１４】
前記内壁及び前記外壁の一方が鏡面反射を起こすように構成されており、他方が鏡面反射以外の反射を起こすように構成されている、請求項７に記載のＰＥＴスキャナ。
【請求項１５】
前記内壁及び前記外壁のうちの前記鏡面反射を起こすように構成されている一方が金属被覆を有する、請求項１４に記載のＰＥＴスキャナ。
【請求項１６】
前記内壁及び前記外壁のうちの前記鏡面反射を起こすように構成されている一方が反射性の被覆を有する、請求項１４に記載のＰＥＴスキャナ。
【請求項１７】
前記内壁及び前記外壁のうちの前記鏡面反射を起こすように構成されている一方が、その上に入射された光の全反射を起こすように選択された屈折率を有する、請求項１４に記載のＰＥＴスキャナ。
【請求項１８】
前記内壁及び前記外壁のうちの一方が拡散反射を起こすように構成されており、他方が拡散反射以外の反射を起こすように構成されている、請求項７に記載のＰＥＴスキャナ。
【請求項１９】
前記内壁及び前記外壁のうちの前記拡散反射を起こすように構成されている一方がプラスチック被覆を有する、請求項１８に記載のＰＥＴスキャナ。
【請求項２０】
前記内壁及び前記外壁のうちの前記拡散反射を起こすように構成されている一方が塗料被覆を有する、請求項１８に記載のＰＥＴスキャナ。
【請求項２１】
前記内壁及び前記外壁のうちの前記拡散反射を起こすように構成されている一方が粗い表面を有する、請求項１８に記載のＰＥＴスキャナ。
【請求項２２】
前記内壁の表面が研磨されている、請求項７に記載のＰＥＴスキャナ。
【請求項２３】
前記外壁が粗い表面を有する、請求項７に記載のＰＥＴスキャナ。
【請求項２４】
前記光学素子が、前記シンチレータブロックに隣接して配置された第３の層を更に備えた、請求項１に記載のＰＥＴスキャナ。
【請求項２５】
前記第１の間隙が、前記中央領域及び前記周縁領域の対応する光学的特性とは異なる光学的特性を有する、請求項１に記載のＰＥＴスキャナ。
【請求項２６】
前記第１の間隙が空隙からなる、請求項２５に記載のＰＥＴスキャナ。
【請求項２７】
前記第１の内壁及び前記第２の内壁の一方が研磨されており、他方が研磨されていない、請求項１に記載のＰＥＴスキャナ。
【請求項２８】
前記第１の内壁及び前記第２の内壁の一方が半透明であり、他方が半透明でない、請求項１に記載のＰＥＴスキャナ。
【請求項２９】
前記第１の内壁及び前記第２の内壁の一方が黒色であり、他方が黒色でない、請求項１に記載のＰＥＴスキャナ。
【請求項３０】
前記第１の内壁及び前記第２の内壁が鏡面反射壁である、請求項１に記載のＰＥＴスキャナ。
【請求項３１】
前記第２の間隙が格子状の複数の領域を規定する、請求項１に記載のＰＥＴスキャナ。
【請求項３２】
前記第２の間隙が前記第２の層の端から端まで延伸している、請求項３１に記載のＰＥＴスキャナ。
【請求項３３】
前記第２の間隙が前記第２の層の途中から途中まで延伸している、請求項３１に記載のＰＥＴスキャナ。
【請求項３４】
前記対向する第１及び第２の内壁が平行である、請求項１に記載のＰＥＴスキャナ。
【請求項３５】
前記対向する第１及び第２の内壁が平行でない、請求項１に記載のＰＥＴスキャナ。
【請求項３６】
前記格子状の複数の領域のそれぞれが、前記複数の光検出器の一つに対応するように配置されている、請求項３１に記載のＰＥＴスキャナ。
【請求項３７】
前記第２の間隙が十字形の間隙である、請求項１に記載のＰＥＴスキャナ。
【請求項３８】
前記十字形の間隙が、互いに交差する第１及び第２の腕部を有し、前記第１及び第２の腕部の少なくとも一方が前記第２の層の端から端まで延伸している、請求項３７に記載のＰＥＴスキャナ。
【請求項３９】
前記十字形の間隙が、互いに交差する第１及び第２の腕部を有し、前記第１及び第２の腕部が前記第２の層の途中から途中まで延伸している、請求項３７に記載のＰＥＴスキャナ。
【請求項４０】
前記光学素子の選択された複数の部分から現れたシンチレーション光子が前記複数の光検出器に到達するのを防ぐために配置された覆いを更に備えた、請求項１に記載のＰＥＴスキャナ。
【請求項４１】
前記覆いが、前記複数の光検出器に対向する位置に開口部を形成する複数の領域を有する、請求項４０に記載のＰＥＴスキャナ。
【請求項４２】
前記覆いが前記光学素子と前記複数の光検出器との間に配置された、請求項４０に記載のＰＥＴスキャナ。
【請求項４３】
前記覆いが吸収性である、請求項４０に記載のＰＥＴスキャナ。
【請求項４４】
前記覆いが反射性である、請求項４０に記載のＰＥＴスキャナ。
【請求項４５】
前記覆いが鏡面反射性である、請求項４０に記載のＰＥＴスキャナ。
【請求項４６】
前記覆いが拡散反射性である、請求項４０に記載のＰＥＴスキャナ。
【請求項４７】
シンチレータブロックからの光を複数の光検出器に向けるための光学素子であって、前記光学素子が：
前記シンチレータブロックと光学的に連通した第１の層であって、前記第１の層が、外壁を有する中央領域と、内壁を有する周縁領域とを有し、前記内壁と前記外壁とが第１の間隙によって互いから隔てられている、第１の層と；
前記複数の光検出器及び前記第１の層と光学的に連通した第２の層であって、前記第２の層が、少なくとも第１の領域と第２の領域とを有し、前記第１の領域が第１の内壁を有し、前記第２の領域が、前記第１の内壁に対向する第２の内壁を有し、前記第１の内壁と前記第２の内壁とが第２の間隙によって互いから隔てられている、第２の層と；
を備えた、光学素子。
【請求項４８】
前記周縁領域から前記内壁への光子の入射によって生じた第１の反射係数が、前記中央領域から前記外壁への光子の入射によって生じた第２の反射係数よりも大きくなるように、前記内壁と前記外壁とが構成されている、請求項４７に記載の光学素子。
【請求項４９】
前記周縁領域の前記内壁の内表面の反射係数が、前記中央領域の前記外壁の内表面の反射係数よりも大きい、請求項４７に記載の光学素子。
【請求項５０】
前記内壁の前記内表面が研磨されている、請求項４９に記載の光学素子。
【請求項５１】
前記外壁の前記内表面が粗い、請求項４９に記載の光学素子。
【請求項５２】
前記光学素子が、前記シンチレータブロックに対面して配置された第３の層を更に有する、請求項４７に記載の光学素子。
【請求項５３】
前記第１の間隙が空隙からなる、請求項４７に記載の光学素子。
【請求項５４】
前記第１の内壁及び前記第２の内壁が鏡面反射壁である、請求項４７に記載の光学素子。
【請求項５５】
前記第２の間隙が格子状の複数の領域を規定する、請求項４７に記載の光学素子。
【請求項５６】
前記格子状の複数の領域のそれぞれが、前記複数の光検出器の一つに対応するように配置されている、請求項５５に記載の光学素子。
【請求項５７】
前記第２の間隙が十字形の間隙である、請求項４７に記載の光学素子。